(57)【要約】    【課題】何れか一方のバックアップ給電に故障が発生した場合であっても確実な給電を行うことができる無停電電源システムを提供する。    【解決手段】無停電電源装置１に過電流が生じると、切換制御回路１３ａが無瞬断切換回路７ａに無瞬断切換を指示するとともに、切換制御回路１３ａからの指示により、切換制御回路１３ｂが無瞬断切換回路７ｂに無瞬断切換を指示する。これにより、各無瞬断切換回路７ａ，７ｂのＡＣスイッチ９がオンし、直送線１２ａ，１２ｂ側の給電に切換える。過電流が解除されると、切換制御回路１３ａが無瞬断切換回路７ａに無瞬断切換解除を指示するとともに、切換制御回路１３ａからの指示により、切換制御回路１３ｂが無瞬断切換回路７ｂに無瞬断切換解除を指示する。【選択図】        図１
2005261197.tif 000002
【特許請求の範囲】
【請求項１】
交流出力を行う母線盤と、
前記母線盤に対して第１及び第２の給電線を介し並列接続されて電力の供給を行う第１及び第２の無停電電源装置と、
前記第１及び第２の無停電電源装置にそれぞれ設けられ、無停電電源装置からの給電と直送給電との切換えを行う第１及び第２の無瞬断切換回路と、
前記第１及び第２の無瞬断切換回路をそれぞれ制御する第１及び第２の切換制御回路とを備え、
前記第１又は第２の切換制御回路は、前記第１又は第２の無停電電源装置の何れか一方に過電流が発生した場合、前記第１及び第２の無瞬断切換回路をともに直送給電側に切換えるよう制御することを特徴とする無停電電源システム。
【請求項２】
前記第１又は第２の切換制御回路は、前記第１又は第２の無停電電源装置の何れか一方に発生した過電流が解除されると、前記第１及び第２の無瞬断切換回路を無停電電源装置からの給電に切換えるよう制御することを特徴とする請求項１に記載の無停電電源システム。
【請求項３】
交流出力を行う母線盤と、
前記母線盤に対して第１及び第２の給電線を介し並列接続されて電力の供給を行う第１及び第２の無停電電源装置と、
前記第１及び第２の無停電電源装置にそれぞれ設けられ、無停電電源装置からの給電と直送給電との切換えを行う第１及び第２の無瞬断切換回路と、
前記第１及び第２の無瞬断切換回路をそれぞれ制御する第１及び第２の切換制御回路とを備え、
前記第１又は第２の無停電電源装置の何れか一方に過電流が発生した場合、一方の切換制御回路は一方の無瞬断切換回路を直送給電側に切換えるとともに、他方の切換制御回路は一方の切換制御回路の指示により他方の無瞬断切換回路を直送給電側に切換えるよう制御することを特徴とする無停電電源システム。
【請求項４】
前記第１又は第２の無停電電源装置の何れか一方に発生した過電流が解除されると、一方の切換制御回路は一方の無瞬断切換回路を無停電電源装置からの給電に切換えるとともに、他方の切換制御回路は一方の切換制御回路の指示により他方の無瞬断切換回路を無停電電源装置からの給電に切換えるよう制御することを特徴とする請求項３に記載の無停電電源システム。
【発明の詳細な説明】
【技術分野】
【０００１】
本発明は、無停電電源装置を並列接続して運転する無停電電源システムに関する。
【背景技術】
【０００２】
従来の無停電電源システムは、図２に示す構成とされている。
無停電電源システムは、バックアップ給電を行う無停電電源装置１，２と交流出力を行う母線盤６とからなる。各無停電電源装置１，２は、整流器３、インバータ４及びバッテリ５を備えている。バッテリ５は、各無停電電源装置１，２で共用されている。また、各無停電電源装置１，２は、ブレーカ１ｂ，２ｂ及び供給線２２ａ，２２ｂを介して母線盤６に接続されている。
母線盤６は、ブレーカ６ａ〜６ｃ及び無瞬断切換回路７を備えている。ブレーカ６ａは、保守バイパス線１０に接続されている。ブレーカ６ｂ，６ｃは、それぞれ供給線２２ａ，２２ｂに接続されている。無瞬断切換回路７は、ブレーカ８ａ，８ｂ及びＡＣスイッチ９を備えている。ブレーカ８ａは、ブレーカ６ｂ，６ｃに接続されている。ブレーカ８ｂは、電源１１の直送線１２に接続されている。
【０００３】
このような構成では、バックアップ給電時、各無停電電源装置１，２の並列運転により、母線盤６のブレーカ６ｂ，６ｃ，８ａを介して交流出力が行われる。各無停電電源装置１，２が故障した場合、無瞬断切換回路７のＡＣスイッチ９がオンし、直送線１２側の給電に切換える。
【発明の開示】
【発明が解決しようとする課題】
【０００４】
ところが、上述した従来の無停電電源システムでは、母線盤６の無瞬断切換回路７が単一であるため、無瞬断切換回路７が故障すると、給電の切換えが行われないという問題がある。
また、無瞬断切換回路７のメンテナンス試験を行う場合、保守バイパス線１０からの給電を必要とする構成となっているため、メンテナンス試験時における各無停電電源装置１，２からの給電を行うことができないといった問題もある。
本発明は、このような状況に鑑みてなされたものであり、何れか一方のバックアップ給電に故障が発生した場合であっても確実な給電を行うことができる無停電電源システムを提供することを目的とする。
【課題を解決するための手段】
【０００５】
本発明の無停電電源システムは、交流出力を行う母線盤と、前記母線盤に対して第１及び第２の給電線を介し並列接続されて電力の供給を行う第１及び第２の無停電電源装置と、前記第１及び第２の無停電電源装置にそれぞれ設けられ、無停電電源装置からの給電と直送給電との切換えを行う第１及び第２の無瞬断切換回路と、前記第１及び第２の無瞬断切換回路をそれぞれ制御する第１及び第２の切換制御回路とを備え、前記第１又は第２の切換制御回路は、前記第１又は第２の無停電電源装置の何れか一方に過電流が発生した場合、前記第１及び第２の無瞬断切換回路をともに直送給電側に切換えるよう制御することを特徴とする。
前記第１又は第２の切換制御回路は、前記第１又は第２の無停電電源装置の何れか一方に発生した過電流が解除されると、前記第１及び第２の無瞬断切換回路を無停電電源装置からの給電に切換えるよう制御するようにしてもよい。
【０００６】
また、本発明の無停電電源システムは、交流出力を行う母線盤と、前記母線盤に対して第１及び第２の給電線を介し並列接続されて電力の供給を行う第１及び第２の無停電電源装置と、前記第１及び第２の無停電電源装置にそれぞれ設けられ、無停電電源装置からの給電と直送給電との切換えを行う第１及び第２の無瞬断切換回路と、前記第１及び第２の無瞬断切換回路をそれぞれ制御する第１及び第２の切換制御回路とを備え、前記第１又は第２の無停電電源装置の何れか一方に過電流が発生した場合、一方の切換制御回路は一方の無瞬断切換回路を直送給電側に切換えるとともに、他方の切換制御回路は一方の切換制御回路の指示により他方の無瞬断切換回路を直送給電側に切換えるよう制御することを特徴とする。
前記第１又は第２の無停電電源装置の何れか一方に発生した過電流が解除されると、一方の切換制御回路は一方の無瞬断切換回路を無停電電源装置からの給電に切換えるとともに、他方の切換制御回路は一方の切換制御回路の指示により他方の無瞬断切換回路を無停電電源装置からの給電に切換えるよう制御するようにしてもよい。
【発明の効果】
【０００７】
本発明に係る無停電電源システムにおいては、何れか一方のバックアップ給電に故障が発生した場合であっても確実な給電を行うことができる。
【発明を実施するための最良の形態】
【０００８】
以下、本発明の実施の形態について説明する。なお、以下に説明する図において、図２と共通する部分には、同一符号を付すものとする。
図１は、本発明の無停電電源システムの一実施の形態を示す回路図である。
図１において、無停電電源システムは、交流出力を行う母線盤６と、母線盤６に対し供給線２２ａ，２２ｂを介して並列接続されたバックアップ給電を行う無停電電源装置１，２とを備えている。母線盤６は、供給線２２ａ，２２ｂに接続されたブレーカ６ｂ，６ｃを備えている。
各無停電電源装置１，２は、整流器３、インバータ４及びバッテリ５を備えている。なお、図１では、バッテリ５を個別に設けた場合を示しているが、この例に限らず、バッテリ５を共用させてもよい。各無停電電源装置１，２の供給線２２ａ，２２ｂには、無瞬断切換回路７ａ，７ｂが設けられている。各無瞬断切換回路７ａ，７ｂは、ブレーカ８ａ，８ｂ及びＡＣスイッチ９を備えている。各ブレーカ８ａは、供給線２２ａ，２２ｂに接続されている。各ブレーカ８ｂは、電源１１の直送線１２ａ，１２ｂに接続されている。各無瞬断切換回路７ａ，７ｂによる切換えは、それぞれ個別に設けられた第１及び第２の切換制御回路としての切換制御回路１３ａ，１３ｂによって制御される。
【０００９】
なお、符号１ａ及び２ａによって囲まれた各構成要素は、それぞれ無停電電源装置１，２に内蔵することができる。
次に、このような構成の無停電電源システムの動作について説明する。
バックアップ給電時においては、各無停電電源装置１，２の並列運転により、各無瞬断切換回路７ａ，７ｂのブレーカ８ａ及び母線盤６のブレーカ６ｂ，６ｃを介して交流出力が行われる。
ここで、たとえば無停電電源装置１に故障が発生すると、切換制御回路１３ａが無瞬断切換回路７ａのＡＣスイッチ９による無瞬断切換を停止させる。これにより、無停電電源装置２側からの給電のみが継続される。この状態で、無停電電源装置２にも故障が発生すると、切換制御回路１３ｂが無瞬断切換回路７ｂのＡＣスイッチ９による無瞬断切換を指示する。これにより、無瞬断切換回路７ｂのＡＣスイッチ９がオンし、直送線１２ｂ側の給電に切換えられる。
【００１０】
このように、交流出力を行う母線盤６に対して並列接続された無停電電源装置１又は２の何れか一方に故障が発生した場合、それぞれ個別に設けられた切換制御回路１３ａ，１３ｂにより、故障が発生した側の無瞬断切換回路７ａ又は７ｂの無瞬断切換動作を停止させ、故障が発生していない側の無瞬断切換回路７ａ又は７ｂを直送給電側に切換えるようにしたので、バックアップ給電を確実に行わせることができる。
また、各無停電電源装置１，２に故障が発生すると、切換制御回路１３ａ又は１３ｂが最後に故障した側の無瞬断切換回路７ａ又は７ｂのＡＣスイッチ９による無瞬断切換を指示し、無瞬断切換回路７ａ又は７ｂのＡＣスイッチ９をオンさせ、直送線１２ａ又は１２ｂ側の給電に切換えるようにしたので、各無停電電源装置１，２が故障した場合であっても確実な給電を行うことができる。
【００１１】
また、図１において、たとえば無停電電源装置１に過電流が生じると、切換制御回路１３ａが無瞬断切換回路７ａに無瞬断切換を指示する。また、切換制御回路１３ａからの指示により、切換制御回路１３ｂが無瞬断切換回路７ｂに無瞬断切換を指示する。これにより、各無瞬断切換回路７ａ，７ｂのＡＣスイッチ９がオンし、直送線１２ａ，１２ｂ側の給電に切換える。過電流が解除されると、切換制御回路１３ａが無瞬断切換回路７ａに無瞬断切換解除を指示する。また、切換制御回路１３ａからの指示により、切換制御回路１３ｂが無瞬断切換回路７ｂに無瞬断切換解除を指示する。これにより、各無瞬断切換回路７ａ，７ｂのＡＣスイッチ９がオフし、各無停電電源装置１，２からの給電に切換えられる。
このように、何れか一方の無停電電源装置１又は２に過電流が生じた場合であっても、直送線１２ａ，１２ｂ側の給電に切換えることができる。
【００１２】
さらに、メンテナンス試験時、無停電電源装置１，２の何れか一方を、バックアップ給電側とする。
このように、メンテナンス試験時、何れか一方の無停電電源装置１又は２のメンテナンス試験時であっても他方の無停電電源装置１又は２からのバックアップ給電を行うことができる。
【図面の簡単な説明】
【００１３】
【図１】本発明の無停電電源システムの一実施の形態を示す回路図である。
【図２】従来の無停電電源システムを示す回路図である。
【符号の説明】
【００１４】
１，２  無停電電源装置
２２ａ，２２ｂ  供給線
３  整流器
４  インバータ
５  バッテリ
６  母線盤
７ａ，７ｂ  無瞬断切換回路
９  ＡＣスイッチ
１３ａ，１３ｂ  切換制御回路
【図１】
2005261197.tif 000003
【図２】
2005261197.tif 000004